(57)【要約】      （修正有）【課題】  血液等の検体中のデクスメデトミジンを少量の検体で簡便かつ高感度で測定する方法を提供する。【解決手段】  デクスメデトミジンを含む検体を固相抽出法に付して検体中のデクスメデトミジンを溶出成分として分離し、分離したデクスメデトミジンを、４−［１−（２−メチルフェニル）エチル］−１Ｈ−イミダゾールを内部標準物質として使用して液体クロマトグラフィー／タンデム質量分析装置により検出、定量することを特徴とする検体中のデクスメデトミジンの定量方法。【選択図】  図１
2006112835.tif 000002
【特許請求の範囲】
【請求項１】
デクスメデトミジンを含む検体を固相抽出法に付して検体中のデクスメデトミジンを溶出成分として分離し、分離したデクスメデトミジンを、４−［１−（２−メチルフェニル）エチル］−１Ｈ−イミダゾールを内部標準物質として使用して液体クロマトグラフィー／タンデム質量分析装置により検出、定量することを特徴とする検体中のデクスメデトミジンの定量方法。
【請求項２】
固相抽出法における固相抽出用樹脂が、親水性と疎水性を兼ね備えたコンビネーションポリマー又はエンハンスドポリマーであることを特徴とする請求項１記載の定量方法。
【請求項３】
固相抽出法における溶出液が、水混和性の揮発し易い性質を持つ極性有機溶媒を６０〜１００Ｖ／Ｖ％含む溶液であることを特徴とする請求項１又は２記載の定量方法。
【請求項４】
極性有機溶媒が、メタノール、エタノール又はアセトニトリルであることを特徴とする請求項３記載の定量方法。
【請求項５】
液体クロマトグラフィー／タンデム質量分析装置の高速液体クロマトグラフィーにおけるカラムが逆相クロマトグラフィーカラムであることを特徴とする請求項１記載の定量方法。
【請求項６】
液体クロマトグラフィー／タンデム質量分析装置の高速液体クロマトグラフィーにおける移動相が酢酸緩衝液／アセトニトリル混液であることを特徴とする請求項５記載の定量方法。
【請求項７】
液体クロマトグラフィー／タンデム質量分析装置において、デクスメデトミジンのプリカーサーイオンとしてｍ／ｚ２０１付近のイオンを選択し且つプロダクトイオンとしてｍ／ｚ９５付近のイオンを選択し、４−［１−（２−メチルフェニル）エチル］−１Ｈ−イミダゾールのプリカーサーイオンとしてｍ／ｚ１８７付近のイオンを選択し且つプロダクトイオンとしてｍ／ｚ９５付近のイオンを選択し、これらイオンをモニターする請求項１記載の定量方法。
【請求項８】
検体が動物の血漿、血清、血液又は尿である請求項１記載の定量方法。
【発明の詳細な説明】
【技術分野】
【０００１】
本発明は、血液等の検体中のデクスメデトミジンを測定する方法に関する。
【背景技術】
【０００２】
デクスメデトミジン（（＋）−（Ｓ）−４−［１−（２，３−ジメチルフェニル）エチル］−１Ｈ−イミダゾール）は以下の構造式：
【化１】
2006112835.tif 000003
で表記される化合物であり、中枢性α２アドレナリン受容体を介して、大脳皮質等の上位中枢の興奮、覚醒レベル上昇を抑制することにより鎮静作用を発現する新しいクラスの鎮静剤である。特にデクスメデトミジンは、集中治療室において、静脈ライン（ｉｖ−ｌｉｎｅ）やカテーテル等を設置された患者が興奮したり、不安や苦痛を感じるのを軽減させることができる。（特許文献１参照。）。
【０００３】
デクスメデトミジンの用法用量として、通常、成人には、６μｇ／ｋｇ／時で１０分間静脈内へ持続注入し（初期負荷投与）、続いて患者の状態に合わせて、至適鎮静レベルが得られる様、デクスメデトミジンの目標血漿中濃度が０．１〜１．２５ｎｇ／ｍＬとなるように維持量として通常０．２〜０．７μｇ／ｋｇ／時の範囲で静脈内へ持続注入される。しかし、前記デクスメデトミジンの維持量を静脈内へ持続注入しても、目標血漿中濃度を得ることができない患者や、逆に目標血漿中濃度を超える患者があり、デクスメデトミジンの血中濃度の管理が重要となっている。
デクスメデトミジンの血中濃度の測定法としては、ガスクロマトグラフィー／質量分析法（以下、ＧＣ／ＭＳ法）が知られている。前記ＧＣ／ＭＳ法によると、まずデクスメデトミジンを含む血漿にヘキサンとペンタフルオロベンゾイル・クロライドを加えると、デクスメデトミジンがペンタフルオロベンゾイル化され、その後ペンタフルオロベンゾイル化されたデクスメデトミジンを含む有機層を分取し、濃縮した後、該濃縮液をサンプルとして使用し、ＧＣ／ＭＳによる定量分析に付する（非特許文献１参照）。しかし、この方法では、血液が２ｍＬ以上（血漿として１ｍＬ以上）必要で、かつデクスメデトミジンをペンタフルオロベンゾイル化しなければならない。このため、この方法は、集中治療室においてデクスメデトミジンが投与される患者の血中デクスメデトミジン濃度を迅速に管理、維持しなければならない方法としては、煩雑であり満足すべきものではなかった。
【特許文献１】特表２００２−５０９８８０号公報
【非特許文献１】ジャーナル・オブ・クロマトグラフィー（Ｊｏｕｒｎａｌ  ｏｆ  ｃｈｒｏｍａｔｏｇｒａｐｈｙ）、１９８９年、第４９７巻、ｐ．２８２−２８７
【発明の開示】
【発明が解決しようとする課題】
【０００４】
本発明は、血液等の検体中のデクスメデトミジンを少量の検体で簡便かつ高感度で測定する方法を提供することを目的とする。
【課題を解決するための手段】
【０００５】
本発明者らは、血液等の検体中に含まれるデクスメデトミジンを高感度で定量する方法について鋭意研究を行った結果、デクスメデトミジンを含む検体を前処理としての固相抽出法と、液体クロマトグラフィー／タンデム質量分析装置（以下、ＬＣ／ＭＳ／ＭＳシステムと略記する。）による検出、定量法とを組み合わせて用いることにより、検体中のデクスメデトミジンを容易に高感度で検出できることを見出し、本発明を完成するに至った。
すなわち、本発明は、
（１）  デクスメデトミジンを含む検体を固相抽出法に付して検体中のデクスメデトミジンを溶出成分として分離し、分離したデクスメデトミジンを、４−［１−（２−メチルフェニル）エチル］−１Ｈ−イミダゾールを内部標準物質として使用してＬＣ／ＭＳ／ＭＳシステムにより検出、定量することを特徴とする検体中のデクスメデトミジンの定量方法、
（２）  固相抽出法における固相抽出用樹脂が、親水性と疎水性を兼ね備えたコンビネーションポリマー又はエンハンスドポリマーであることを特徴とする前記（１）記載の定量方法、
（３）  固相抽出法における溶出液が、水混和性の揮発し易い性質を持つ極性有機溶媒を６０〜１００Ｖ／Ｖ％含む溶液であることを特徴とする前記（１）又は（２）記載の定量方法、
（４）  極性有機溶媒が、メタノール又はアセトニトリルであることを特徴とする前記（３）記載の定量方法、
（５）  ＬＣ／ＭＳ／ＭＳシステムの高速液体クロマトグラフィーにおけるカラムが逆相クロマトグラフィーカラムであることを特徴とする前記（１）記載の定量方法、
（６）  ＬＣ／ＭＳ／ＭＳシステムの高速液体クロマトグラフィーにおける移動相が酢酸緩衝液／アセトニトリル混液であることを特徴とする前記（５）記載の定量方法、
（７）  ＬＣ／ＭＳ／ＭＳシステムにおいて、デクスメデトミジンのプリカーサーイオンとしてｍ／ｚ２０１付近のイオンを選択し且つプロダクトイオンとしてｍ／ｚ９５付近のイオンを選択し、４−［１−（２−メチルフェニル）エチル］−１Ｈ−イミダゾールのプリカーサーイオンとしてｍ／ｚ１８７付近のイオンを選択し且つプロダクトイオンとしてｍ／ｚ９５付近のイオンを選択し、これらイオンをモニターする前記（１）記載の定量方法、
（８）  検体が動物の血漿、血清、血液又は尿である前記（１）記載の定量方法。
に関する。
【発明の効果】
【０００６】
本発明に従えば、固相抽出法により前処理された検体を用いてＬＣ／ＭＳ／ＭＳシステムで分析定量を行うことにより、測定の対象であるデクスメデトミジンを簡便に高感度で定量することができる。
【発明を実施するための最良の形態】
【０００７】
本発明において、デクスメデトミジンは遊離の塩基の状態のみならず、例えば塩酸塩等の塩の状態であってもよい。本発明において使用することのできる検体としては、特に制限はなく、デクスメデトミジンを含有するものであればいずれも使用可能であり、例えば、ヒトを含む動物の血液、血漿、血清、唾液、尿等の生体試料並びに動物における各種の臓器や組織等を挙げることができる。
【０００８】
固相抽出法は、例えば固相抽出カートリッジを用いることが好ましい。固相抽出カートリッジとしては、生体試料中のデクスメデトミジンを高感度に抽出できる固相抽出カートリッジであればいずれも好ましく用いることができ、例えばオクチルシリカゲルを用いたＩｓｏｌｕｔｅ  Ｃ８（Ｉｎｔｅｒｎａｔｉｏｎａｌ  ｓｏｒｂｅｎｔ  ｔｅｃｈｎｏｌｏｇｙ社製）、Ｂｏｎｄ  Ｅｌｕｔ  Ｃ８（バリアン社製）、Ｓｅｐ−ｐａｋ  Ｃ８（ウォーターズ社製）等；オクタデシルシリカゲルを用いたＩｓｏｌｕｔｅ  Ｃ１８（Ｉｎｔｅｒｎａｔｉｏｎａｌ  ｓｏｒｂｅｎｔ  ｔｅｃｈｎｏｌｏｇｙ社製）、Ｂｏｎｄ  Ｅｌｕｔ  Ｃ１８（バリアン社製）、Ｓｅｐ−ｐａｋ  Ｃ１８（ウォーターズ社製）等；親水性と疎水性を兼ね備えたコンビネーションポリマーを用いた固相抽出カートリッジ  ＮＥＸＵＳ（バリアン社製）、Ｏａｓｉｓ  ＨＬＢ（ウォーターズ社製）；エンハンスドポリマーを用いた固相抽出カートリッジ  Ｆｏｃｕｓ（バリアン社製）等が挙げられる。なかでも、親水性と疎水性を兼ね備えたコンビネーションポリマーを用いた固相抽出カートリッジ（ＮＥＸＵＳ、Ｏａｓｉｓ  ＨＬＢ）又はエンハンスドポリマーを用いた固相抽出カートリッジ（Ｆｏｃｕｓ）がとりわけ好ましい。なお、固相抽出カラムはカートリッジタイプに限定されるものではなく、ディスクタイプ又はプレートタイプのもの等も適宜用いることができる。
【０００９】
上記固相抽出における溶出液は、水混和性の揮発し易い性質を持つ極性有機溶媒を６０〜１００Ｖ／Ｖ％含む溶液が好ましい。当該溶液は、極性溶媒以外に水や非極性溶媒を含んでもよい。このような極性有機溶媒としては、例えば、メタノール、エタノール又はアセトニトリル等が挙げられる。前記極性溶媒は、１又は２種以上を適宜混合してもよい。前記極性溶媒は、さらに揮発性の酸、例えば酢酸又は塩酸（好ましくは約０．０１〜１Ｎ塩酸）等で酸性としてもよい。酸は、極性溶媒に対して約０．０１〜１０Ｖ／Ｖ％、好ましくは約０．０５〜５Ｖ／Ｖ％となるよう加えられるのがよい。溶出溶液を酸性とすることで、少量の溶出液（例えば、酸を加えない溶出液の体積の約１／２体積以下）でも、固相カートリッジに吸着されたデクスメデトミジンを溶出できる。また、溶出後の操作を考慮すると、溶出液は水を含まないか水を含んでも水の含量が４０Ｖ／Ｖ％以下、好ましくは２０Ｖ／Ｖ％以下、より好ましくは１０Ｖ／Ｖ％以下がよい。
溶液は、通常はピペットや注射器等を用いて、カートリッジに注入される。
【００１０】
ＬＣ／ＭＳ／ＭＳシステムの高速液体クロマトグラフィー（ＬＣ）におけるカラムは、逆相クロマトグラフィーカラムが好ましい。逆相クロマトグラフィーカラムとしては、オクタデシルシリカゲル（ＯＤＳ）系カラムが好ましく、例えばＩｎｅｒｔｓｉｌ  ＯＤＳ（ジーエルサイエンス株式会社製）、Ｌ−ｃｏｌｕｍｎ  ＯＤＳ  （財団法人化学物質評価研究機構製）、Ｄｅｖｅｌｏｓｉｌ  ＯＤＳ  ＵＧ−５（野村化学株式会社製）、ＣＡＰＣＥＬＬ  ＰＡＫ  Ｃ１８  ＭＧＩＩ（株式会社資生堂製）、ＺＯＲＢＡＸ  ＸＤＢ−Ｃ１８（横河アナリティカルシステムズ株式会社製）、Ｓｙｍｍｅｔｒｙ  Ｃ１８（ウォーターズ社製）、Ｎｕｃｌｅｏｓｉｌ  Ｃ１８（Ｍ．ナーゲル社製）等を挙げることができるが、ＯＤＳ系カラムであればこれらに限定されない。
【００１１】
上記高速液体クロマトグラフィーにおける移動相として、本発明においては酢酸緩衝液系移動相が好適に用いられる。酢酸緩衝液としては、酢酸溶液、酢酸アンモニウム溶液又は酢酸アンモニウム緩衝液が挙げられる。前記酢酸溶液中の酢酸濃度は、約０．１〜１Ｖ／Ｖ％、より好ましくは約０．４〜０．６Ｖ／Ｖ％の範囲とすることができる。また酢酸アンモニウム溶液における酢酸アンモニウムの濃度は、一般に約０．０１〜１００ｍＭ、好ましくは約１〜５０ｍＭ、より好ましくは約１〜１０ｍＭの範囲内とすることができる。酢酸アンモニウム緩衝液は、前記酢酸アンモニウム溶液に酢酸を加えｐＨを約３〜５の範囲に調製されるのがよい。この酢酸緩衝液系移動相としては、例えば、酢酸溶液／メタノール混液、酢酸溶液／酢酸メタノール混液、酢酸溶液／アセトニトリル混液、酢酸溶液／酢酸アセトニトリル混液、酢酸溶液／メタノール／アセトニトリル混液、酢酸アンモニウム溶液又は酢酸アンモニウム緩衝液／メタノール混液、酢酸アンモニウム溶液又は酢酸アンモニウム緩衝液／アセトニトリル混液、あるいは酢酸アンモニウム溶液又は酢酸アンモニウム緩衝液／メタノール／アセトニトリル混液等が挙げられる。酢酸溶液及び酢酸アンモニウム溶液はそれぞれ酢酸水溶液及び酢酸アンモニウム水溶液であってもよい。メタノール又はアセトニトリルと酢酸溶液又は酢酸アンモニウム溶液もしくは酢酸アンモニウム緩衝液の混合割合は、容積比で一般に約１：９９〜約９９：１、好ましくは約２０：８０〜約８０：２０、さらに好ましくは、約３０：７０〜約７０：３０、もっとも好ましくは約３５：６５〜約６０：４０の範囲内である。
【００１２】
ＬＣ／ＭＳ／ＭＳシステムにおけるイオン化法としては、例えば、エレクトロスプレーイオン化（ＥＳＩ）、大気圧化学イオン化（ＡＰＣＩ）、サーモスプレーイオン化（ＴＳＰ）又は高速原子衝撃（ＦＡＢ）等が挙げられる。この中でもＥＳＩが好ましく、ＥＳＩターボイオンスプレイ法がより好適に用いられる。本発明において、ＭＳ／ＭＳとはＭＳ  １で得られたプリカーサーイオン（ここでは水素付加イオン）を選択し、ＭＳ  ２でプリカーサーイオンを窒素ガスやアルゴンガス等により分解させ、生じるプロダクトイオンを検出する方法であり、この方法は、高選択性によりＳＮ比が向上し高感度になる。
【００１３】
生成したプロダクトイオンの検出方法としては、一般に、フルスキャン法、選択リアクションモニタリング（ＳＲＭ）法又はマルチリアクションモニタリング（ＭＲＭ）法等が挙げられるが、本発明においてはＭＲＭ法が好適に用いられる。このＭＲＭ法においては、例えば、デクスメデトミジンのプリカーサーイオンとして、ｍ／ｚ２０１付近のイオンのみを選択し、次に、このイオンを窒素ガスやアルゴンガス等の不活性ガスに衝突させ分解させた際に生じるプロダクトイオンのうちｍ／ｚ１０〜２０１の範囲内で最大のピークを示すイオン、好ましくはｍ／ｚ９５付近のイオンのみを選択してそのイオンの量をモニターすることにより、本発明が目的とする検体中のデクスメデトミジンを高感度で定量することができる。このとき、内部標準物質の４−［１−（２−メチルフェニル）エチル］−１Ｈ−イミダゾールのプリカーサーイオンとして、ｍ／ｚ１８７付近のイオンを選択し、且つプロダクトイオンとして、ｍ／ｚ１０〜１８７の範囲内で最大のピークを示すイオン、好ましくはｍ／ｚ９５付近のイオンが選択されるのがよい。
【００１４】
本発明に用いられる内部標準物質として用いられる４−［１−（２−メチルフェニル）エチル］−１Ｈ−イミダゾールは以下の構造；
【化２】
2006112835.tif 000004
で表記される化合物（以下、内標化合物と略記する。）である。この内標化合物は、遊離の塩基の状態のみならず、例えば塩酸塩などの塩の状態であってもよい。前記内標化合物は、測定の対象であるデクスメデトミジンと比して分子量が約１４小さいので、ＬＣ／ＭＳ／ＭＳシステムでは、デクスメデトシミジン化合物の検出ピークと異なる位置にピークを得ることができ、かつそのピークは血漿等生体成分の検出ピークの位置とも異なる。また、上記内標化合物は、血漿等の生体成分中において安定で経時的変化が少なく、固相抽出法による処理を行っても回収率が良好で、取り扱い易い化合物である。このため上記内標化合物は、内部標準物質として使用することが可能となり、しかも、前記内標化合物を使用することにより検体中のデクスメデトミジンを驚くべき高感度で定量することができる。上記内標化合物は、例えば特公平３−７２６２１号公報に記載の方法等に準じて製造することができる。
【００１５】
以下に、  本発明の好ましい工程を例示する。例えば、
（ａ）検体を希釈して前処理する工程、
（ｂ）前記（ａ）工程で得られた前処理物から固相抽出法でデクスメデトミジンを溶出成分として分離する工程、
（ｃ）前記（ｂ）工程で得られた溶出成分中のデクスメデトミジンをＬＣ／ＭＳ／ＭＳシステムを用いて測定する工程、及び
（ｅ）前記（ｄ）工程で得られた測定値から、検体中のデクスメデトミジンの濃度を算出する工程、
が挙げられる。
以下、上記した好ましい各工程についてより具体的に説明する。
【００１６】
上記（ａ）工程では、例えばデクスメデトミジンを投与された患者から採血された血液から血漿を分離し、分離されたデクスメデトミジンを含有する血漿約１００〜２５０μＬに、内標化合物を加え、水、あるいは酸（１Ｎ塩酸）又は／及びアルカリ（１Ｎ水酸化ナトリウム）で最終的に約１．５〜１０容量倍に血漿が希釈される。内標化合物を含む希釈された血漿は、約０℃〜室温、好ましくは約４〜１０℃で、約１００００〜２００００ｒｐｍ、約５〜１０分間遠心分離され、その上清が使用されるのが好ましい。なお、遠心分離後、上記した最終的な容量倍に希釈してもよい。
【００１７】
上記（ｂ）工程は、前記（ａ）工程で得られた、希釈され又は所望により遠心分離された血漿は、常法によってあらかじめ極性有機溶媒及び水で活性化された上記した固相抽出カートリッジに注入される。前記極性有機溶媒としては、例えば、アルコール（例えばメタノール、エタノール等）又はアセトニトリル等が好ましい。血漿が注入された固相抽出カートリッジは、水約０．５〜２ｍＬ、次いで、約５０Ｖ／Ｖ％以下（好ましくは約２〜４０Ｖ／Ｖ％）のメタノール又はアセトニトリル水溶液で洗浄されるのが好ましい。これにより、デクスメデトミジン及び内標化合物が固相抽出カートリッジの固相に吸着し得る。次いで当該固相抽出カートリッジに溶出溶液約０．５〜２ｍＬを注入し、固相抽出カートリッジからデクスメデトミジン及び内標化合物を溶出成分として溶出させる。溶出したデクスメデトミジン及び内標化合物を含む溶出液は窒素気流下、約２０〜５０℃で濃縮乾固される。
【００１８】
上記（ｃ）工程は、前記（ｂ）工程で得られた濃縮乾固物が、ＬＣ／ＭＳ／ＭＳシステムにおける高速液体クロマトグラフィーに用いられる移動相で溶解され、ＬＣ／ＭＳ／ＭＳシステムに注入されデクスメデトミジンが測定される工程である。ＬＣ／ＭＳ／ＭＳシステムとしては、例えばＡＰＩ４０００  ＬＣ／ＭＳ／ＭＳシステム（ＡＢ／ＭＤＳ  ＳＣＩＥＸ製）、４０００  Ｑ  ＴＲＡＰ  ＬＣ／ＭＳ／ＭＳシステム（ＡＢ／ＭＤＳ  ＳＣＩＥＸ製）、Ｑ  ＴＲＡＰ  ＬＣ／ＭＳ／ＭＳシステム（ＡＢ／ＭＤＳ  ＳＣＩＥＸ製）、ＡＰＩ２０００  ＬＣ／ＭＳ／ＭＳシステム（ＡＢ／ＭＤＳ  ＳＣＩＥＸ製）、ＴＳＱ  ＱＵＡＮＴＵＭ  ＬＣ／ＭＳ／ＭＳシステム（サーモエレクトロン社製）又はＴＳＱ７０００  ＬＣ／ＭＳ／ＭＳシステム（サーモエレクトロン社製）等が挙げられる。
【００１９】
高速液体クロマトグラフィー（ＬＣ）は、上記したＯＤＳ系カラムおよび移動相を用い、そのカラム温度は室温〜約５０℃、好ましくは約３５〜４５℃とするのが好ましい。
ついで、高速液体クロマトグラフィーで分離・溶出された成分はタンデム質量分析装置（ＭＳ／ＭＳ）のイオン化室に導入されイオン化される。第一段目の質量分析計（ＭＳ）でプリカーサーイオンが選択され、ついでコリジョンセルと呼ばれる衝突室で窒素ガス等と衝突させてプリカーサーイオンを解離させ新しいイオン群を発生させる。この新しいイオン群のうち最大のピークを示すイオンがプロダクトイオンとして選択され、第２段目の質量分析計（ＭＳ）で分析される。
デクスメデトミジン０．２ｎｇ／ｍＬと内標化合物１０ｎｇ／ｍＬを１０μＬ注入時のマスクロマトグラムを図１に示す。この図では、デクスメデトミジンは約３．８分に、内標化合物は約２．７分に溶出される。
【００２０】
上記（ｅ）工程は、前記（ｄ）工程で得られた測定値から、検体中のデクスメデトミジン及び内標化合物の濃度を算出できさえすれば特に限定されない。本工程に用いられる濃度の算出手段としては、例えばデクスメデトミジンの標準溶液を用いて作成した検量線を用いて行う手段等が挙げられる。具体的には、検量線はデクスメデトミジンの標準溶液に内標化合物を添加した検体を用いて、上記工程（ａ）〜工程（ｄ）を実施して得られる測定値から作成される。
また、本工程において用いる検量線は、真度が定量下限濃度において±２０％以内であり、その他の濃度において±１５％以内であり、かつ相関係数が０．９９以上である検量線を用いるのが好ましい。内標化合物を用いた場合には、たとえば、検体中のデクスメデトミジンのピーク面積値と内標化合物のピーク面積値との比を求め、この比をグラフ上にプロットすることにより信頼性の高い検量線を作成することができる。また、デクスメデトミジンを健常人の検体（例えば血漿）に溶解した標準溶液を用いることにより、例えば血漿に含まれる内因性要因の影響を除くことができる。すなわち、かかる検量線を用いることにより、患者におけるデクスメデトミジンの検体中の濃度を直接算出できるので、好都合である。上記定量下限濃度は、検量線作成のために用いるデクスメデトミジンを添加した検体のうち、検体中のデクスメデトミジンの濃度の一番薄い濃度を意味する。上記真度は、定量値の平均から添加濃度を減じた値を添加濃度で除することで算出される。上記相関係数は、例えば最小２乗法を用いて算出できる。
【００２１】
本発明の定量方法を用いれば、例えば、検体として血漿を用いる場合、わずか約２００μＬの検体量で検体中のデクスメデトミジンの定量を行うことが可能となる
【００２２】
以下に実施例を用いて本発明を説明するが、本発明はこれらに限定されるものではない。
なお、内標化合物としては、特公平３−７２６２１号公報、実施例７に準じて製造した４−［１−（２−メチルフェニル）エチル］−１Ｈ−イミダゾール塩酸塩を使用した。
【実施例１】
【００２３】
検量線の作成
以下の手順に従い、検量線を作成した。
（１）デクスメデトミジン標準溶液の調製：塩酸デクスメデトミジン１１．８ｍｇ（デクスメデトミジンとして１０ｍｇ）を精製水に溶解して１０ｍＬとし、デクスメデトミジン標準原液（１ｍｇ／ｍＬ）を調製した。前記標準原液を精製水で希釈し、デクスメデトミジン０．０８、０．２、０．８、４．０、２０．０、４０．０、８０．０ｎｇ／ｍＬの標準溶液を調製した。
内部標準溶液の調製：内標化合物１０．０ｍｇを精密に量り取り、少量の精製水で溶解後、精製水で正確に１０ｍＬとして内部標準原液（１ｍｇ／ｍＬ））を調製した。この内部標準原液を精製水で正確に希釈し内部標準溶液（４０ｎｇ／ｍＬ、１００μｇ／ｍＬ又は５μｇ／ｍＬ）を調製した。
（２）ヒト血漿２００μＬに、デクスメデトミジン標準溶液各５０μＬ（ヒト血漿１ｍＬ当たり、デクスメデトミジンが０．０２、０．０５、０．２、１．０、５．０、１０．０、２０．０ｎｇ添加されたこととなる。）、内部標準溶液５０μＬ及び精製水７００μＬを加えて溶液を得た。
（３）前記（２）の溶液を、予めメタノール１ｍＬ及び水１ｍＬを注入し活性化した固相抽出カートリッジ  Ｏａｓｉｓ  ＨＬＢ（３０ｍｇ／１ｍＬ；ウォーターズ社製）に注入した。次いでＯａｓｉｓ  ＨＬＢに精製水１ｍＬを２回注入し、更に５０Ｖ／Ｖ％メタノール水溶液１ｍＬを注入し、Ｏａｓｉｓ  ＨＬＢを洗浄した。
（４）洗浄された前記（３）のＯａｓｉｓ  ＨＬＢにメタノール１ｍＬを注入し、Ｏａｓｉｓ  ＨＬＢから溶出する溶出液を回収した。回収した溶出液を窒素気流下濃縮乾固した。濃縮乾固物に５ｍｍｏｌ／Ｌ酢酸緩衝液（ｐＨ５．０）／アセトニトリル（７０：３０，Ｖ／Ｖ）７５μＬを加え、濃縮乾固物を溶解し、高速液体クロマトグラフィー用試料とした。
（５）前記（４）の高速液体クロマトグラフィー用試料１０μＬをＬＣ／ＭＳ／ＭＳシステム〔ＡＰＩ４０００  ＬＣ／ＭＳ／ＭＳシステム（ＡＢ／ＭＤＳ  ＳＣＩＥＸ製）〕に注入し、デクスメデトミジンを測定した。ＬＣ／ＭＳ／ＭＳシステムは以下の条件で行った。
【００２４】
ＬＣ（高速液体クロマトグラフィー）：
分析カラム：ＣＡＰＣＥＬＬ  ＰＡＣＫ  Ｃ１８  ＭＧＩＩ（２．０×７５ｍｍ，３μｍ；株式会社資生堂製）
ガードカラム：ＧＵＡＲＤ  ＣＡＲＴＲＩＤＧＥ  ＣＡＰＣＥＬＬ  Ｃ１８  ＭＧＩＩＳ−３（２．０×１０ｍｍ，３μｍ；株式会社資生堂製）
移動相：５ｍｍｏｌ／Ｌ酢酸緩衝液（ｐＨ５．０）／アセトニトリル（７０：３０，Ｖ／Ｖ）
ニードル洗浄液：メタノール／０．０５Ｖ／Ｖ％酢酸溶液（９０：１０，Ｖ／Ｖ）
流速：０．２ｍＬ／ｍｉｎ
カラム温度：４０℃
オートサンプラー設定温度：４℃
試料注入量：１０μＬ
ＭＳ／ＭＳ（タンデム質量分析装置）
イオン化法：Ｅｌｅｃｔｒｏｓｐｒａｙ  ｉｏｎｉｚａｔｉｏｎ（ＥＳＩ）
（Ｔｕｒｂｏ  Ｉｏｎ  Ｓｐｒａｙ）
イオンスプレー電圧：５５００Ｖ
ヒーターガス温度：７００℃
マルチプライヤー電圧：１８００Ｖ
ネブライザーガス（ＧＳ１）：８０ｐｓｉ（約５５２ｋＰａ）
ターボガス（ＧＳ２）：７０ｐｓｉ（約４８３ｋＰａ）
カーテンガス（Ｎｉｔｒｏｇｅｎ）：２０ｐｓｉ（約１３８ｋＰａ）
コリジョンガス（Ｎｉｔｒｏｇｅｎ）：３ｐｓｉ（約２１ｋＰａ）
検出モード：正イオン検出モード
Ｍｕｌｔｉｐｌｅ  ｒｅａｃｔｉｏｎ  ｍｏｎｉｔｏｒｉｎｇ（ＭＲＭ）
モニターイオン：
【表１】
2006112835.tif 000005
【００２５】
（６）得られた測定データは表２のとおりであった。
血漿中のデクスメデトミジン濃度０．０２〜２０ｎｇ／ｍＬの範囲で、相関係数の高い検量線（ｒ＝０．９９９７）が得られることがわかった。また、血漿中のデクスメデトミジン濃度０．０７５〜４０ｎｇ／ｍＬの範囲についても、同様に検量線を作成したところ、直線性の高い検量線（ｒ＝０．９９０８）が得られることを確認した。このデクスメデトミジンの定量範囲は、投与されるデクスメデトミジンの目標血漿濃度０．１〜１．２５ｎｇ／ｍＬに合致し、デクスメデトミジンの血漿濃度の定量方法になり得ることが判明した。
【００２６】
【表２】
2006112835.tif 000006
【実施例２】
【００２７】
ヒト血漿を用いたデクスメデトミジンの添加回収試験
ヒト血漿２００μＬに、実施例１（１）で調製したデクスメデトミジン標準溶液（０．０８、４．０、８０ｎｇ／ｍＬ）５０μＬ（ヒト血漿１ｍＬ当たり、デクスメデトミジンが０．０２、１．０、２０．０ｎｇ添加されたこととなる。）及び内部標準溶液（４０ｎｇ／ｍＬ）５０μＬ及び精製水７００μＬを加え、ボルテックスミキサーで攪拌した。以後の操作は上記検量線の作成の手順（３）〜（５）と同様に行った。
結果を表３に示した。本結果は、デクスメデトミジンの目標血漿濃度０．１〜１．２５ｎｇ／ｍＬにおいて、回収率９６％以上の精度で分析定量が可能であることを示すものである。
【表３】
2006112835.tif 000007
【００２８】
〔実施例３〜５〕
固相抽出法における固相抽出カートリッジの検討−ラット血漿を用いたデクスメデトミジンの添加回収試験−
ラット血漿２００μＬにデクスメデトミジン標準溶液５０μＬ（ラット血漿１ｍＬ当たり、デクスメデトミジン１００μｇ／ｍＬ添加）、実施例１（１）で調製した内部標準溶液（１００μｇ／ｍＬ）５０μＬ及び１Ｎ水酸化ナトリウム溶液４００μＬを添加し、ボルテックスミキサーで撹拌後、１５０００ｒｐｍ、４℃、５分間遠心分離した。遠心分離後の上清を表４の固相抽出カートリッジ及び溶出液等を用い濃縮乾固物を調製した。対照として、デクスメデトミジン標準溶液５０μＬ及び内部標準溶液５０μＬの代わりに精製水をそれぞれ５０μＬ加えた血漿を使用した。
【００２９】
【表４】
2006112835.tif 000008
【００３０】
得られた各乾固物に高速液体クロマトグラフィーに用いる下記する移動相２００μＬを加え、乾固物を溶解し、マイレックスＨＶ  ０．４５μｍフィルターでろ過し、高速液体クロマトグラフィー用試料を調製した。得られた各高速液体クロマトグラフィー用試料５０μＬを液体クロマトグラフィーに注入し、デクスメデトミジンを測定した。本実施例においては、デクスメデトミジンをＵＶ検出器（波長２２０ｎｍ）で検出し、デクスメデトミジンのピーク面積値（Ｓａｍｐｌｅピーク面積値）を算出した。前記ピーク面積値は高速液体クロマトグラフィーに接続されたコンピュータによって自動的に算出される。一方、デクスメデトミジン標準溶液（１００μｇ／ｍＬ）５０μＬ、内部標準溶液（１００μｇ／ｍＬ）５０μＬ及び下記する移動相１００μＬを混合し、スタンダード（ＳＴＤ）溶液を調製した。そのＳＴＤ溶液５０μＬを液体クロマトグラフィーに注入し、上記と同様にデクスメデトミジンを検出し、得られたデクスメデトミジンのピーク面積値をＳＴＤピーク面積値とした。デクスメデトミジンの回収率は、以下に従い算出した。
回収率＝（Ｓａｍｐｌｅピーク面積値／ＳＴＤピーク面積値）×１００
なおＵＶ検出器によるデクスメデトミジンの検出限界は０．１２５μｇ／ｍＬであることを確認している。
【００３１】
高速液体クロマトグラフィーの条件は以下の条件で行った。
分析カラム：Ｉｎｅｒｔｓｉｌ  ＯＤＳ−３（２．１×１５０ｍｍ，５μｍ；東ソー株式会社製）
ガードカラム：ＴＳＫ  ＧＵＡＲＤＧＥＬ  ＯＤＳ−８０Ｔｓ（１．５×２０ｍｍ，５μｍ；東ソー株式会社製）
移動相：０．５Ｖ／Ｖ％酢酸／メタノール（６５：３５，Ｖ／Ｖ）
流速：０．３ｍＬ／ｍｉｎ
カラム温度：４０℃
試料注入量：５０μＬ
【００３２】
ラット血漿からのデクスメデトミジンの回収率は表５のとおりであった。親水性と疎水性を兼ね備えたコンビネーションポリマー又はエンハンスドポリマーのいずれの固相抽出カートリッジも本発明の定量に使用し得ることが判明した。
【表５】
2006112835.tif 000009
【００３３】
〔実施例６〜１２〕
固相抽出法における溶出液の検討−ラット血漿を用いたデクスメデトミジンの添加回収試験−
ラット血漿２００μＬにデクスメデトミジン標準溶液５０μＬ（ヒト血漿１ｍＬ当たり、デクスメデトミジン１０μｇ／ｍＬ添加）、実施例１（１）で調製した内部標準溶液（５μｇ／ｍＬ）５０μＬ及び１Ｎ塩酸溶液２００μＬを添加し、ボルテックスミキサーで撹拌後、１５０００ｒｐｍ、４℃、５分間遠心分離した。遠心分離後の上清に１Ｎ水酸化ナトリウム溶液４００μＬを均一に混合した。前記混合液を、メタノール１ｍＬ及び精製水１ｍＬで活性化した固相抽出カートリッジ  Ｏａｓｉｓ  ＨＬＢ（１０ｍｇ／１ｃｃ；ウォーターズ社製）又はＦｏｃｕｓ（バリアン社製）に注入し、精製水１ｍＬ、２回で、固相抽出カートリッジを洗浄した。表６、表７の溶出液等を用い、固相抽出カートリッジからデクスメデトミジン及び内標化合物を溶出し、溶出液を遠心乾固（１２０ｍｉｎ，５０℃）した。
【００３４】
〔比較施例１〜３〕
表７の比較施例１〜３における溶出液を用いる以外は実施例６〜１２と同様に操作し、固相抽出カートリッジからデクスメデトミジン塩酸塩及び内標化合物を溶出し、溶出液を遠心乾固（１２０ｍｉｎ，５０℃）した。
【００３５】
【表６】
2006112835.tif 000010
【００３６】
【表７】
2006112835.tif 000011
【００３７】
実施例６〜７及び比較例１〜３で得られた各乾固物に、高速液体クロマトグラフィーに用いる下記する移動相２００μＬを加え、乾固物を溶解し、マイレックスＨＶ  ０．４５μｍフィルターでろ過し、高速液体クロマトグラフィー用試料を調製した。得られた各高速液体クロマトグラフィー用試料５０μＬを高速液体クロマトグラフィーに注入し、デクスメデトミジンを測定した。本実施例及び比較例においては、添加デクスメデトミジン量をＵＶ検出器（波長２２０ｎｍ）で検出し、実施例３〜５と同様に回収率を算出した。
【００３８】
高速液体クロマトグラフィーの条件は以下の条件で行った。
分析カラム：Ｌ−ｃｏｌｕｍｎ  ＯＤＳ（２．１×１５０ｍｍ，３μｍ；財団法人化学物質評価研究機構製）
ガードカラム：ＴＳＫ  ＧＵＡＲＤＧＥＬ  ＯＤＳ−８０Ｔｓ（４．０×２０ｍｍ；東ソー株式会社製）
移動相：５ｍＭ酢酸アンモニウム溶液：メタノール（４０：６０，Ｖ／Ｖ）
流速：０．２５ｍＬ／ｍｉｎ
カラム温度：４０℃
試料注入量：１００μＬ
【００３９】
ラット血漿からのデクスメデトミジンの回収率は表８、９のとおりであった。血漿中のデクスメデトミジンの固相抽出法において、溶出液を６０％以上のメタノール水溶液（極性溶媒溶液）とすることで、ラット血漿からのデクスメデトミジンの回収率が７５％となり、定量に使用し得ることが判明した。
【００４０】
【表８】
2006112835.tif 000012
【００４１】
【表９】
2006112835.tif 000013
【産業上の利用可能性】
【００４２】
本発明は、デクスメデトミジンの目標血漿中濃度０．１〜１．２５ｎｇ／ｍＬの範囲内でデクスメデトミジンの血漿中濃度の定量に有用である。また、デクスメデトミジンの血漿中濃度を簡便かつ高感度に定量できるので、デクスメデトミジンの血漿中濃度から至適鎮静レベルを維持するためのデクスメデトミジン持続投与量の決定に利用できる。
【図面の簡単な説明】
【００４３】
【図１】図中Ａは、デクスメデトミジン標準溶液（デクスメデトミジン０．２ｎｇ／ｍＬ）１０μＬをＬＣ／ＭＳ／ＭＳに注入時のマスクロマトグラムを示す図である。Ｂは内部標準溶液（内標化合物１０ｎｇ／ｍＬ）１０μＬをＬＣ／ＭＳ／ＭＳに注入時のマスクロマトグラムを示す図である。
【図１】
2006112835.tif 000014